(57)【要約】【課題】  低温環境下における電動モータの発熱を抑制できる電動オイルポンプを提供する。【解決手段】  電動モータ3により駆動される第１ポンプ要素1および第２ポンプ要素2と、オイル粘度が所定値以下のとき電動モータ3から第２ポンプ要素2に至るトルク伝達経路（第１シャフト15→第２シャフト26）の接続を維持し、オイル粘度が所定粘度を超えるときトルク伝達経路の接続を遮断するクラッチ7とを備える。【選択図】  図１
2012207637.tif 000002
【特許請求の範囲】
【請求項１】
電動モータの出力トルクにより駆動され、オイルを吸入吐出する第１ポンプ要素と、
前記電動モータの出力トルクにより駆動され、オイルを吸入吐出する第２ポンプ要素と、
前記電動モータから前記第２ポンプ要素に至るトルク伝達経路上に配置され、オイル粘度が所定粘度以下のとき前記トルク伝達経路を接続し、前記オイル粘度が前記所定粘度を超えるとき前記トルク伝達経路を遮断する断続手段と、
を備えたことを特徴とする電動オイルポンプ。
【請求項２】
請求項１に記載の電動オイルポンプであって、
前記第１ポンプ要素と前記第２ポンプ要素は、オイル循環経路に対してオイル吸入口およびオイル吐出口が並列配置されていることを特徴とする電動オイルポンプ。
【請求項３】
請求項１または請求項２に記載の電動オイルポンプにおいて、
前記断続手段は、前記第１ポンプ要素と前記第２ポンプ要素との間に作用するトルクが設定トルク以下のとき締結され、前記設定トルクを超えるとき解放されるトルク感応型のクラッチであることを特徴とする電動オイルポンプ。
【発明の詳細な説明】
【技術分野】
【０００１】
本発明は、電動オイルポンプに関する。
【背景技術】
【０００２】
従来、ポンプロータとアウタロータとを有するトロコイド型の電動オイルポンプとして特許文献１に記載の技術が開示されている。この公報には、ポンプロータに固定された駆動軸と電動モータとが連結され、電動モータによってポンプを駆動している。
【先行技術文献】
【特許文献】
【０００３】
【特許文献１】特開２００７−９７９０号公報
【発明の概要】
【発明が解決しようとする課題】
【０００４】
通常、トロコイド型のようなギヤ式ポンプは回転当たりの吐出量が一定の固定容積型であるため、オイル粘度が高くなるにつれて所定の吐出量を確保するために必要な電動モータの出力トルクは増加し、電動モータの消費電流も増加する。ここで、電動モータの発熱量は消費電流量の二乗に比例して大きくなるため、オイル粘度が高い低温環境下における電動モータの発熱が問題となる。
本発明の目的は、低温環境下における電動モータの発熱を抑制できる電動オイルポンプを提供することにある。
【課題を解決するための手段】
【０００５】
上記目的を達成するため、本発明の電動オイルポンプでは、電動モータにより駆動される第１および第２ポンプ要素と、オイル粘度が所定値以下のとき電動モータから第２ポンプ要素に至るトルク伝達経路の接続を維持し、オイル粘度が所定粘度を超えるとき前記トルク伝達経路の接続を遮断する断続手段とを備える。
【発明の効果】
【０００６】
よって、本発明にあっては、低温環境下における電動モータの発熱を抑制できる。
【図面の簡単な説明】
【０００７】
【図１】実施例１の電動オイルポンプの模式図である。
【図２】クラッチ7の模式図である。
【図３】図１のS2-S2矢視図である。
【図４】図１のS3-S3矢視図である。
【図５】電動オイルポンプの要部分解斜視図である。
【図６】電動オイルポンプの流体粘性−トルク特性および電流−トルク特性を示す図である。
【図７】電動オイルポンプのトルク−回転特性およびトルク−電流特性を示す図である。
【図８】オイル循環経路に対して第１ポンプ要素と第２ポンプ要素を直列配置した例である。
【図９】オイル循環経路に対して第１ポンプ要素と第２ポンプ要素を並列配置した例である。
【図１０】実施例２の電動オイルポンプの模式図である。
【図１１】他の実施例の電動オイルポンプの模式図である。
【発明を実施するための形態】
【０００８】
以下、本発明の電動オイルポンプを実施するための形態を、図面に示す実施例に基づいて説明する。
〔実施例１〕
実施例１の構成を説明する。
図１は、実施例１の電動オイルポンプの模式図である。
実施例１の電動オイルポンプは、アイドルストップ機能を備えた車両の自動変速機用に搭載されるポンプである。この自動変速機はベルト式無段変速機であり、エンジンにより駆動されるメインポンプを別途備えている。そして、アイドルストップ制御によるエンジンの停止時には、メインポンプによる油圧が確保できず、また、ベルト式無段変速機内の摩擦締結要素やプーリからのリーク等によって油圧が低下すると、再発進時に必要な油圧を確保するまでに時間がかかるため、運転性の低下を招く。また、ハイブリッド車両のようにモータ／エンジンをクラッチにて使い分ける場合、冷却油が不足すると伝達できるトルクが減るため、発進時、加速時等の運転性低下を招く。そこで、メインポンプとは別に、エンジンの作動状態にかかわらず油圧を吐出可能な電動オイルポンプを備え、摩擦締結要素やプーリからのリーク分の油圧を担保することで、エンジン再始動および再発進時の運転性を向上している。
【０００９】
実施例１の電動オイルポンプは、第１ポンプ要素1と、第２ポンプ要素2と、電動モータ3と、ケーシング4と、ドライバ5と、ヒートシンク6と、クラッチ（断続手段）7とを有する。
第１ポンプ要素1は、電動モータ3の出力トルクにより駆動され、オイルを吸入吐出するもので、外歯歯車（以下、外歯と略記する。）を有するポンプロータ11と内歯歯車（以下、内歯と略記する。）を有するアウタロータ12とから構成されるトロコイド型のポンプ要素である。
第２ポンプ要素2は、電動モータ3の出力トルクにより駆動され、オイルを吸入吐出するもので、外歯歯車（以下、外歯と略記する。）を有するポンプロータ13と内歯歯車（以下、内歯と略記する。）を有するアウタロータ14とから構成されるトロコイド型のポンプ要素である。
電動モータ3は、第１シャフト15と連結されたモータロータ16とステータ17とを有する。
【００１０】
ケーシング4は、自動変速機を収容する自動変速機ケースに取り付けられている。ケーシング4は、第１ポンプ要素1および電動モータ3を収容する第１ケーシング18と、第２ポンプ要素2を収容する第２ケーシング19と、第２ケーシング19の開口を覆うカバー部材20とを有する。
第１ケーシング18は、第１ポンプ要素1を収容する第１ポンプ収容部21と、電動モータ3を収容するモータ収容部22とを有する。第１ポンプ収容部21は、第１ポンプ要素1のポンプロータ11を回転可能に支持する。モータ収容部22には、ステータ17が固定支持されている。第１ポンプ収容部21とモータ収容部22との間には、第１シャフト15を回転可能に支持する軸受部23が設けられている。
第２ケーシング19は、第２ポンプ要素2を収容する第２ポンプ収容部24と、クラッチ7を収容するクラッチ収容部25とを有する。第２ポンプ収容部24は、第２ポンプ要素2のポンプロータ13を回転可能に支持する。第２ポンプ収容部24とクラッチ収容部25との間には、第２ポンプ要素2のポンプロータ13と連結された第２シャフト26を回転可能に支持する軸受部27が設けられている。
カバー部材20は、第２ケーシング19の第２ポンプ収容部24を塞ぐもので、第２シャフト26の先端部を回転可能に支持する軸受部28が設けられている。
【００１１】
ドライバ5は、第１ケーシング18に固定され、電動モータ3を制御する図外のコントロールユニットから送られる指令に応じて、電動モータ3のステータ17に駆動電流を供給する。
ヒートシンク6は、ドライバ5に取り付けられ、熱の放散によりドライバ5を冷却する。
クラッチ7は、第１シャフト15と第２シャフト26との間に介装されている。クラッチ7は、トルク感応型のクラッチであり、第１シャフト15と第２シャフト26との間に作用するトルクが設定トルク以下のとき締結され、設定トルクを超えるとき解放（締結解除）される。ここで、設定トルクは、オイル粘度が所定粘度となるときのトルクとする。また、所定粘度は、クラッチ7の締結状態で電動モータ3を駆動したとき、電動モータ3の消費電流が許容電流となるオイル粘度、または許容電流付近まで達するオイル粘度とする。
【００１２】
図２は、クラッチ7の模式図であり、クラッチ7は、外輪7aと、内輪7bと、係合部7cと、ボール7dと、コイルスプリング7eとを有する。外輪7aは、第１シャフト15に接続され、第１シャフト15と一体に回転する。内輪7bは、第２シャフト26に接続され、第２シャフト26と一体に回転する。係合部7cは、外輪7aの外周に設けられている。ボール7dは、コイルスプリング7eを介して内輪7bの外周に形成された溝7fに取り付けられ、コイルスプリング7eの付勢力によって係合部7cの傾斜面に押し付けられている。
外輪7aが回転したとき、外輪7aと内輪7bとの間に作用するトルクが設定トルク以下の場合には、係合部7cがボール7dを溝7fの内部に押し込む力よりもコイルスプリング7eがボール7dを溝7fの外に押し出す力の方が大きいため、係合部7cとボール7dとが周方向に係合し、外輪7aから内輪7bへトルクが伝達される。一方、外輪7aと内輪7bとの間に作用するトルクが設定トルクを超えた場合には、コイルスプリング7eがボール7dを溝7fの外に押し出す力よりも係合部7cがボール7dを溝7fの内部に押し込む力の方が大きくなるため、ボール7dが溝7f内に埋没し、外輪7aから内輪7bへトルクは伝達されない。
【００１３】
第１ケーシング18には、第１ポンプ要素1の吸入口（オイル吸入口）39および吐出口（オイル吐出口）40がアウタロータ12の径方向外側にそれぞれ形成されている。吸入口39と吐出口40は、ポンプロータ11の回転中心とアウタロータ12の回転中心とを結んだ線分に対し対向位置に配置されている。吸入口39は、ポンプロータ11の外歯とアウタロータ12の内歯との間に形成される各容積室のうち、容積が増大して負圧となる各吸入側容積室に面して形成されている。吐出口40は、各容積室のうち容積が減少して内圧が上昇する各吐出側容積室に面して形成されている。図３は、図１のS2-S2矢視図であり、第１ケーシング18には、吸入口39と連通する吸入油路41と、吐出口40と連通する吐出油路42が第１ポンプ要素1の外周に設けられている。吸入油路41は、第１ケーシング18に形成された軸方向油路47と連通している。軸方向油路47は、図外のオイルパン内に開口するオイル吸い込み口と連通している。吐出油路42は、第１ケーシング18に形成された軸方向油路48と連通している。軸方向油路48は、図外のコントロールバルブユニットと連通している。
【００１４】
第２ケーシング19には、第２ポンプ要素2の吸入口（オイル吸入口）43および吐出口（オイル吐出口）44がアウタロータ14の径方向外側にそれぞれ形成されている。吸入口43と吐出口44は、ポンプロータ13の回転中心とアウタロータ14の回転中心とを結んだ線分に対し対照位置に配置されている。吸入口43は、ポンプロータ13の外歯とアウタロータ14の内歯との間に形成される各容積室のうち、容積が増大して負圧となる各吸入側容積室に面して形成されている。吐出口44は、各容積室のうち容積が減少して内圧が上昇する各吐出側容積室に面して形成されている。図４は、図１のS3-S3矢視図であり、第２ケーシング19には、吸入口43と連通する吸入油路45と、吐出口44と連通する吐出油路46が第２ポンプ要素2の外周に設けられている。吸入油路45は、第２ケーシング19に形成された軸方向油路49と連通している。軸方向油路49は、第１ケーシング18の軸方向油路47と合流し、図外のオイルパン内に開口するオイル吸い込み口と連通している。吐出油路46は、第２ケーシング19に形成された軸方向油路50と連通している。軸方向油路50は、第１ケーシング18の軸方向油路48と合流し、図外のコントロールバルブユニットと連通している。
【００１５】
図５は、電動オイルポンプの要部分解斜視図である。
第１ポンプ要素1のポンプロータ11の中心には、二面幅29を有する連結穴30が形成されている。第１シャフト15の先端部分には、二面幅29が係合される二面幅受け部31が形成されている。
第１シャフト15の先端には、二面幅受け部32aが形成されたクラッチ嵌合部32が設けられている。クラッチ7側には、二面幅受け部32aが係合される二面幅33を有する連結穴34が形成されている。
第２シャフト26の先端部分には、二面幅受け部35が形成されている。また、第２シャフト26の先端には、軸受部28に支持される支持軸36が設けられている。
第２ポンプ要素2のポンプロータ13には、二面幅受け部35が係合される二面幅37を有する連結穴38が形成されている。
【００１６】
実施例１の作用を説明する。
［電動オイルポンプの動作］
電動モータ3に電流を印加し、第１シャフト15を回転駆動すると、第１シャフト15と一体に設けられたポンプロータ11が回転する。このとき、オイル粘度が所定粘度以下である場合、第１シャフト15と第２シャフト26との間に介装されたクラッチ7に作用するトルクは設定トルク以下であるため、クラッチ7の接続は維持され、第２シャフト26が第１シャフト15と一体に回転する。これにより、第１ポンプ要素1および第２ポンプ要素2において、ポンプロータ11,13の外歯と噛み合う内歯を有するアウタロータ12,14も回転し、第１および第２ポンプ要素1,2の吸入側容積室に吸入口39,43からオイルが吸入される。そして、吸入側容積室は、ポンプロータ11,13とアウタロータ12,14が回転するに伴って容積が減少して内圧が上昇する吐出側容積室に変わり、この吐出側容積室から、吸入されたオイルが吐出口40,44に吐出される。このようなポンプ作用がポンプロータ11,13とアウタロータ12,14の回転によって連続的に行われ、オイルが連続的に圧送される。そして、吸入されたオイルによって各容積室の密閉性が高められる液体シール効果によって、これら容積室間に生じる差圧が顕著となり、ポンプ作用が得られる。
一方、オイル粘度が所定粘度を超える場合、クラッチ7に作用するトルクは設定トルクよりも大きくなるため、クラッチ7は解放され、第１シャフト15と第２シャフト26との接続が遮断される。これにより、第２ポンプ要素2は停止し、第１ポンプ要素1のみが作動される。
【００１７】
［低温環境下における電動モータの発熱抑制］
通常、トロコイド型のようなギヤ式ポンプは、１回転当たりの吐出量が一定の固定容積型であるため、油温が低いほど、すなわち、オイル粘度が高いほどポンプの作動に必要なトルクは増加する。
従来のエンジンの補機としてのオイルポンプは、エンジンにより駆動されるため、エンジン発生トルクに対してオイル粘度の上昇に伴うポンプの要求トルク増加の影響は小さいが、電動モータにより駆動される電動オイルポンプでは、作動トルクの増加は消費電流の増加となり、ドライバの作動制約（熱的制約／電流駆動制約）が生じる。
【００１８】
図６に示すように、電動オイルポンプにおいて、同一配管で一定流量を吐出するために電動モータの要求トルクは、オイル粘度（∝油温）が高くなるにつれて増加し、電動モータに供給される電流量も増加する。つまり、電動オイルポンプの使用可能な油温領域は、電動モータおよびドライバの許容電流とトルク定数、ポンプの理論吐出量およびオイルの粘度の温度依存性によって決まる。
ここで、電動モータの発熱量は、消費電流の二乗に比例して大きくなるため、オイル粘度が高い低温環境下において消費電流を許容電流以下に抑えるためには、ドライバの電流駆動余裕を大きくする必要となり、ドライバの大型化を招くと共に、電動モータの放熱設計を成立させるために生存空間の拡大や大電流を流すための部品選定等から大きなコスト跳ね返りが生じる。
【００１９】
これに対し、実施例１の電動オイルポンプでは、電動モータ3により駆動される第１ポンプ要素1および第２ポンプ要素2と、オイル粘度が所定値以下のとき電動モータ3から第２ポンプ要素2に至るトルク伝達経路（第１シャフト15→第２シャフト26）の接続を維持し、オイル粘度が所定粘度を超えるときトルク伝達経路の接続を遮断するクラッチ7とを備える。
つまり、オイル粘度が所定値以下である常温環境下では、第１ポンプ要素1と第２ポンプ要素2を共に作動させて第１シャフト15一回転当たりの吐出量を大きくする。すなわち、オイル粘度が低い常温環境下では、自動変速機の冷却や各摩擦締結要素の圧力保持および放熱または冷却に必要とされる流量が多く、かつ、オイルリーク量も多いため、２つのポンプ要素1,2により必要な吐出量を確保できる。このとき、電動モータ3の駆動負荷は小さいため、電動モータ3の発熱は小さい。
【００２０】
一方、オイル粘度が所定値を超える低温環境下では、第２ポンプ要素2を切り離してフリーの状態とし、第１シャフト15一回転当たりの吐出量を低減する。すなわち、オイル粘度が高い低温環境下では、電動モータ3の駆動負荷（要求トルク）を常温環境下よりも小さくすることで、消費電流を抑え、電動モータ3の発熱を抑制できる。このとき、第２ポンプ要素2の停止に伴い理論吐出量が低減するものの、第２ポンプ要素2を作動させた場合と比較して、ポンプ作動に必要なトルクが低減するため、同一電圧での回転数を上昇させることができるため、理論吐出量低減分の一部を回転数上昇により補償できる。なお、オイル粘度が高い低温環境下では、自動変速機の冷却や各摩擦締結要素の圧力保持に必要とされる流量が少なく、かつ、オイルリーク量も少ないため、常温環境下に比して吐出量が低減したとしても、必要な吐出量は確保できる。
図７に示すように、低温環境下において第１ポンプ要素1と第２ポンプ要素2を共に作動させた場合、電動モータ3の出力トルクがT1+2のとき、消費電流はI1、第１シャフト15の回転数はN1であるが、第２ポンプ要素2を停止させることで、出力トルクをT1、消費電流をI2まで小さくでき、回転数をN2まで高めることができる。
【００２１】
よって、実施例１の電動オイルポンプでは、オイル粘度が高い低温環境下における電動モータ3の発熱を抑制できるため、１つの固定容積型ポンプを作動させる場合と比較して、以下のメリットがある。
1) 電動オイルポンプの小型化
低温環境下での必要トルクが小さくなるため、ドライバ5の電流負荷が小さくなり、比較的小さなFETやコンデンサ等を採用できる。よって、ドライバ5の小型化を図ることができる。
発熱量は電流量の二乗に比例するため、消費電流を抑えたことで放熱面積を大幅に縮小でき、電動モータ3の小型化を図ることができる。
2) コストダウン
電流量が低減したことでハーネス線径やコネクタ端子等の部品も簡素化でき、システムコストの低減を図ることができる。
3) 信頼性向上
一般的に、疲労寿命は温度上昇比の二乗に比例するため、発熱量を抑えたことにより熱応力を大幅に低減でき、信頼性向上を図ることができる。
【００２２】
［吐出特性の確保］
実施例１の電動オイルポンプでは、第１ポンプ要素1の吸入口39と第２ポンプ要素2の吸入口43および第１ポンプ要素1の吐出口40および第２ポンプ要素2の吐出口44を、オイルパンからコントロールバルブユニットに至るオイル循環経路に対して並列に配置している。
例えば、図８(a)に示すように、オイル循環回路に対して第１ポンプ要素と第２ポンプ要素を直列に配置した場合、２つのポンプ要素が共に作動している場合には、各々のポンプ要素で昇圧し、吐出できるが、図８(b)のように第２ポンプ要素を切り離したシーンでは、第２ポンプ要素が吐出抵抗となるため、第２ポンプ要素の切り離しによる電動モータの出力トルク低減効果は小さくなる。
これに対し、実施例１では、図９(a)に示すように、２つのポンプ要素1,2の吸入口39,43および吐出口40,44をオイル循環経路に対して並列に配置したため、図９(b)のように第２ポンプ要素2が停止した場合であっても、第２ポンプ要素2が吐出抵抗となるのを回避できる。よって、十分な出力トルク低減効果が得られるため、回転数をより高めることができ、吐出特性を確保できる。
【００２３】
［クラッチによる構造の簡素化］
実施例１の電動オイルポンプでは、第１シャフト15と第２シャフト26との間にクラッチ7を介装し、このクラッチ7が解放される設定トルクを、オイル粘度が所定粘度となるときのトルクに設定した。クラッチ7は、コイルスプリング7eの付勢力と係合部7cに作用する力の分力との差を利用して作動するトルク感応型のクラッチであり、オイル粘度を計測するセンサ、コントローラが不要であるため、オイル粘度に応じて第２ポンプ要素2の連結／切り離しを行う構成を、安価に実現できる。また、簡素な構成であるため、小型化にも寄与する。
【００２４】
以下、実施例１の効果を列挙する。
(1) 電動モータ3の出力トルクにより駆動され、オイルを吸入吐出する第１ポンプ要素1と、電動モータ3の出力トルクにより駆動され、オイルを吸入吐出する第２ポンプ要素2と、電動モータ3から第２ポンプ要素2に至るトルク伝達経路（第１シャフト15→第２シャフト26）上に配置され、オイル粘度が所定粘度以下のときトルク伝達経路を接続し、オイル粘度が所定粘度を超えるときトルク伝達経路を遮断するクラッチ7と、を備えた。
これにより、低温環境下における電動モータ3の発熱を抑制できる。
【００２５】
(2) 第１ポンプ要素1と第２ポンプ要素2は、オイル循環経路に対して吸入口39,43および吐出口40,44が並列配置されているため、第２ポンプ要素2の停止による電動モータ3の出力トルク低減効果が十分に得られ、吐出特性を確保できる。
【００２６】
(3) クラッチ7を、第１ポンプ要素1と第２ポンプ要素1との間に作用するトルクが設定トルク以下のとき締結され、設定トルクを超えるとき解放されるトルク感応型のクラッチとした。これにより、オイル粘度に応じて第２ポンプ要素2の連結／切り離しを行う構成を、安価に実現できる。また、簡素な構成であるため、小型化にも寄与する。
【００２７】
〔実施例２〕
実施例２の構成を説明する。
図１０は、実施例２の電動オイルポンプの模式図である。
実施例２の電動オイルポンプは、第１シャフト15に対して第１ポンプ要素1と第２ポンプ要素2を並列に配置した例である。なお、実施例１と同一の構成には同一の符号を付して説明を省略する。
ケーシング60は、電動モータ3を収容する第１ケーシング61と、第１ポンプ要素1、第２ポンプ要素2およびクラッチ7を収容する第２ケーシング62と、吸入口および吐出口を構成する第３ケーシング63とを有する。
第１ケーシング61は、電動モータ3を収容するモータ収容部64を有する。モータ収容部64には、ステータ17が固定支持されている。第１ケーシング61の第２ケーシング側には、第１シャフト15を回転可能に支持する軸受部65と、後述する第３シャフト71を回転可能に支持する軸受部66とが設けられている。
【００２８】
第２ケーシング62は、後述する一対の動力伝達用歯車72,73を収容する歯車収容部67と、第１ポンプ要素1を収容する第１ポンプ収容部68と、第２ポンプ要素2を収容する第２ポンプ要素収容部69と、クラッチ7を収容するクラッチ収容部70とを有する。歯車収容部67には、第１シャフト15の回転を第３シャフト71に伝達する一対の動力伝達用歯車72,73が収容されている。動力伝達用歯車72は第１シャフト15に連結され、動力伝達用歯車73は第３シャフト71に連結されている。第３シャフト71は第１シャフト15と平行に配置されている。第１ポンプ要素収容部68は、第１ポンプ要素1のポンプロータ11を回転可能に支持する。ポンプロータ11は、第３シャフト71と連結されている。歯車収容部67と第１ポンプ要素収容部68との間には、第３シャフト71を回転可能に支持する軸受部74が設けられている。第２ポンプ要素収容部69は、第２ポンプ要素2のポンプロータ13を回転可能に支持する。クラッチ7は、第２ポンプ要素2のポンプロータ13と連結された第２シャフト26と連結されている。クラッチ収容部70と第２ポンプ収容部69との間には、第２シャフト26を回転可能に支持する軸受部75が設けられている。
第３ケーシング63は、第１ポンプ要素1および第２ポンプ要素2の吸入口および吐出口を構成するもので、第３シャフト71の先端部を回転可能に支持する軸受部76と、第２シャフト26の先端部を回転可能に支持する軸受部77とが設けられている。第３ケーシング63には、第１ポンプ要素1および第２ポンプ要素2の吸入口（オイル吸入口）78と、第１ポンプ要素1の吐出口（オイル吐出口）79と、第２ポンプ要素2の吐出口（オイル吐出口）80とがそれぞれ形成されている。
【００２９】
実施例２の作用を説明する。
［電動オイルポンプの動作］
電動モータ3に電流を印加し、第１シャフト15を回転駆動すると、一対の動力伝達用歯車72.73を介して第３シャフト71が回転し、第３シャフト71に連結されたポンプロータ11が回転する。このとき、オイル粘度が所定粘度以下である場合、第１シャフト15と第２シャフト26との間に介装されたクラッチ7に作用するトルクは設定トルク以下であるため、クラッチ7の接続は維持され、第２シャフト26が第１シャフト15と一体に回転する。これにより、第１ポンプ要素1および第２ポンプ要素2において、ポンプロータ11,13の外歯と噛み合う内歯を有するアウタロータ12,14も回転し、第１および第２ポンプ要素1,2の吸入側容積室に吸入口78からオイルが吸入される。そして、吸入側容積室は、ポンプロータ11,13とアウタロータ12,14が回転するに伴って容積が減少して内圧が上昇する吐出側容積室に変わり、この吐出側容積室から、吸入されたオイルが吐出口79,80に吐出される。このようなポンプ作用がポンプロータ11,13とアウタロータ12,14の回転によって連続的に行われ、オイルが連続的に圧送される。そして、吸入されたオイルによって各容積室の密閉性が高められる液体シール効果によって、これら容積室間に生じる差圧が顕著となり、ポンプ作用が得られる。
一方、オイル粘度が所定粘度を超える場合、クラッチ7に作用するトルクは設定トルクよりも大きくなるため、クラッチ7は解放され、第１シャフト15と第２シャフト26との接続が遮断される。これにより、第２ポンプ要素2は停止し、第１ポンプ要素1のみが作動される。
よって、実施例２の電動オイルポンプにあっては、実施例１の効果(1)〜(3)に加え、以下の効果を奏する。
第１ポンプ要素1と第２ポンプ要素2とを第１シャフト15に対して並列に配置したため、直列に配置した場合と比較して、軸方向寸法の短縮化を図ることができる。
【００３０】
（他の実施例）
以上、本発明の電動オイルポンプを実施例に基づいて説明したが、本発明の具体的な構成は実施例の構成に限定されるものではない。
例えば、実施例では、自動変速機に適用した例を示したが、他の油圧作動機器に適用した場合であっても、実施例と同様の作用効果が得られる。
また、第１ポンプ要素1と第２ポンプ要素2の吸入口を共用化してもよい。図１１は、他の実施例の電動オイルポンプの模式図であり、第１ポンプ要素1の吸入口と第２ポンプ要素2の吸入口を、１つの吸入口51で共用している。吸入口51は、アウタロータ12,14の径方向外側に形成され、第１ケーシング18から第２ケーシング19にかけて軸方向に延在している。吸入口51は、図外のオイルパン内に開口するオイル吸い込み口と連通している。
【符号の説明】
【００３１】
1  第１ポンプ要素
2  第２ポンプ要素
3  電動モータ
7  クラッチ（断続手段）
15  第１シャフト
26  第２シャフト
39  吸入口（オイル吸入口）
40  吐出口（オイル吐出口）
43  吸入口（オイル吸入口）
44  吐出口（オイル吐出口）
51  吸入口（オイル吸入口）
【図１】
2012207637.tif 000003
【図２】
2012207637.tif 000004
【図３】
2012207637.tif 000005
【図４】
2012207637.tif 000006
【図５】
2012207637.tif 000007
【図６】
2012207637.tif 000008
【図７】
2012207637.tif 000009
【図８】
2012207637.tif 000010
【図９】
2012207637.tif 000011
【図１０】
2012207637.tif 000012
【図１１】
2012207637.tif 000013